(57)【特許請求の範囲】
【請求項１】
水平部と略放物線状部とを有し且つ表面に数字の印を形成した受け部と、
該受け部から下方に延びる複数の各別な脚部とを備え、
該略放物線状部に対する該水平部の配列は十字形をなし、
各脚部は該脚部から外方に水平方向に延びる足部を備え、各脚部の足部は隣の脚部の足部から分離され、受け部と複数の脚部とはポリマー材料により一体的に形成され、前記数字の印は足部の底面から水平部の上面までの距離を表示する、ポストテンションケーブル、リバー又はメッシュの支持用に用いられるチェア。
【請求項２】
前記複数の各別な脚部の一つは前記水平部の一端から下方に延び、前記複数の各別な脚部の別の一つは前記水平部の他端から下方に延びている請求項１のチェア。
【請求項３】
前記複数の各別な脚部の別の一つは前記略放物線状部の一端から下方に延び、前記複数の各別な脚部の更に別の一つは前記略放物線状部の他端から下方に延びている請求項２のチェア。
【請求項４】
前記数字の印は前記水平部に形成されている請求項１のチェア。
【請求項５】
前記複数の各別な脚部の一つにおける足部には上面に数字の印が形成され、当該足部の数字の印は前記受け部の数字の印と同じ数値である請求項１のチェア。
【請求項６】
前記受け部の数字の印は一つの方向を向いており、前記足部の数字の印は該受け部の数字の印とは別の方向を向いている請求項５のチェア。
【請求項７】
前記水平部から下方に延びている脚部は前記略放物線状部から下方に延びる脚部を横切る方向の面上にある請求項３のチェア。
【請求項８】
前記複数の各別な脚部はそれぞれ長方形状の断面を有する請求項１のチェア。
【請求項９】
前記複数の各別な脚部の足部はそれぞれ平らな水平の上面を有する請求項１のチェア。
【請求項１０】
水平部と略放物線状部とを有し且つ表面に数字の印を形成した受け部と、
該受け部から下方に延びる複数の各別な脚部とを備え、
該略放物線状部に対する該水平部の配列は十字形をなし、
該受け部から下方に延びる複数の各別な脚部とを備え、各脚部は該脚部から外方に水平方向に延びる足部を備え、各脚部の足部は隣の脚部の足部から分離され、受け部と複数の脚部とはポリマー材料により一体的に形成され、複数の各別な脚部の各々は平らな水平の上面を有し、当該複数の各別な脚部における一つの足部の上面には数字の印が形成され、該数字の印は足部の底面と水平部の上面との間の距離を表示する、ポストテンションケーブル、リバー又はメッシュの支持用に用いられるチェア。
【請求項１１】
受け部と、
該受け部から下方に延びる複数の各別な脚部とを備え、各脚部は該脚部から外方に水平方向に延びる足部を備え、受け部と複数の脚部とはポリマー材料により一体的に形成され、複数の各別な脚部の各々は長方形状の水平断面を有し、受け部は表面に数字の印を備え、該数字の印は足部の底面と受け部の表面との間の距離を表示する、ポストテンションケーブル、リバー又はメッシュの支持用に用いられるチェア。
【請求項１２】
前記受け部は略十字形状に配設された水平部と略放物線状部とを備えている請求項１１のチェア。
【請求項１３】
受け部と、
該受け部から下方に延びる複数の各別な脚部とを備え、各脚部は該脚部から外方に水平方向に延びる足部を備え、受け部と複数の脚部とはポリマー材料により一体的に形成され、複数の各別な脚部の各々は長方形状の水平断面を有し、当該複数の各別な脚部における少なくとも一つの脚部の足部の上面には数字の印が形成され、該数字の印は足部の底面と受け部の表面との間の距離を表示する、ポストテンションケーブル、リバー又はメッシュの支持用に用いられるチェア。
【請求項１４】
受け部と、
該受け部から下方に延びる複数の脚部とを備え、各脚部は該脚部から外方に水平方向に延びる足部を備え、受け部と複数の脚部とはポリマー材料により一体的に形成され、
該受け部と複数の各別な脚部とのうちの少なくとも一つに数字の印が形成され、該数字の印は足部の底面と受け部の表面との間の距離を表示する、ポストテンションケーブル、リバー又はメッシュの支持用に用いられるチェア。
【請求項１５】
前記受け部は略放物線状部と水平部とを備え、該略放物線状部に対する該水平部の配列は十字形をなしている請求項１４のチェア。
【請求項１６】
前記数字の印は前記水平部に形成されている請求項１５のチェア。
【請求項１７】
前記複数の脚部の足部はそれぞれ平らな水平の上面を有し、前記数字の印は複数の脚部における少なくとも一つの足部の上面に形成されている請求項１４のチェア。
【請求項１８】
前記受け部は略放物線状部と水平部とを備え、該略放物線状部に対する該水平部の配列は十字形をなし、
前記数字の印は該水平部に形成され、該水平部における数字の印は足部における前記数字の印の方向とは異なる方向を有する請求項１７のチェア。
【発明の詳細な説明】
技術分野
本発明は、建設活動においてポストテンションケーブル、リバー又はメッシュの支持用に用いられるチェア及びスペーサに関するものである。特に、本発明は、ポアドデッキ及びプレキャストワークにおけるこれらの資材の支持用に用いられるプラスチック製のチェアに関するものである。
背景技術
建設業界においては表面上のポストテンションケーブル、リバー及びメッシュの支持用にチェアが一般に使用されている。一般に、これらの資材が使用される場合には、これらのものはコンクリート注入時に表面上に支持されなければならない。チェアは、ポアドデッキ、プレキャストワーク及びスラブ・オン・グレードアプリケーションと共に用いられる。通常の使用においては、チェアに形成された受け部がリバーに接触してこれを支持し、チェアのベースがデッキ又はグレード上に乗る。コンクリートの注入時には、チェアはポストテンションケーブル又はリバーを底面上の適度な距離に支持する。
従来のプラスチックチェアは、実際の使用時にしばしば破壊し、崩壊し又は転倒する。プラスチックチェアの場合、チェアのベースにおけるデッキとの接触面積は極めて小さい。必要な内部構造を備えていても、このようなプラスチックチェアはリバーの重量に耐えることができないことが経験上判明している。
本出願が継続するアメリカ特許第５，５５５，６９３号に記載されているように、種々の実験と研究が本発明の形態を以って行われてきた。チェアは４分の３インチから１８インチまでの多種の寸法があるため、スラブ上に種々の寸法のチェアを置くことは建設作業員にとってしばしば一般的に見られることである。更に、作業員がリバーをチェアの受け部上に置く前にチェアを不適当な方向に向けてしまうという問題がしばしば生じている。従って、作業員にチェアの正しい方向を判断させると共に一本のリバーに沿って正しい寸法のチェアが連続的に使用されるようにするために、作業員に積極的な印を与えることが重要であることが判明した。従来の金属製チェアは該チェアの表面に恒久的な数字の印を付することができなかった。その結果、従来の金属製チェアの場合には、しばしば種々の寸法のチェアが建設スラブに沿って混在していた。
典型的な金属製チェアは円形断面を有するワイヤにより形成されている。典型的な金属製チェアに用いられるワイヤの円形断面構造は固有の欠点を持っている。ワイヤにおける円形断面の本来の性質がチェア構造の構造的な完全性と強さを低減させているのである。結局、チェアの脚部が構造的な完全性と強さを高める長方形状の断面を有することが望ましいのである。
本発明の目的は、腐食することがなく且つ比較的安価なチェアを提供することにある。
本発明の更なる目的は、製造が容易で使いやすいチェアを提供することにある。
本発明の更なる目的は、チェアの寸法に関する恒久的な数字の印を有するチェアを提供することにある。
本発明の更なる目的は、リバーに対するチェアの正しい方向付けを容易ならしめる印を有するチェアを提供することにある。
本発明の前記その他の目的及び利点は添付の明細書と請求の範囲から明らかになる。
発明の要約
本発明は、水平部を有する受け部と、該水平部を横切る方向に延びる略放物線状部と、該受け部から下方に延びる複数の各別の脚部とを備えたチェアである。各脚部は該脚部から外方に水平方向に延びる足部を備えている。各脚部の足部は隣の脚部の足部から分離されている。受け部と複数の脚部とはポリマー材料により一体的に形成されている。
複数の各別な脚部の一つは水平部の一端から下方に延びているが、複数の各別な脚部の別の一つは水平部の他端から下方に延びている。また、複数の各別な脚部の一つは放物線状部の一端から下方に延びているが、複数の各別な脚部の別の一つは略放物線状部の他端から下方に延びている。
受け部には数字の印が形成されている。この数字の印は足部の底面から水平部の上面までの距離を表示する。数字の印は受け部の水平部に形成されている。複数の各別な脚部の一つにおける足部には上面に数字の印が形成されている。足部の数字の印は受け部の数字の印と同じ数値である。受け部の数字の印は足部の数字の印とは別の方向を向いている。
本発明においては、水平部から下方に延びる脚部は略放物線状部から下方に延びる脚部を横切る方向の面上にある。複数の各別な脚部はそれぞれ長方形状の断面を有する。複数の各別な脚部の足部はそれぞれ平らな水平の上面を有する。受け部は十字形状を有する。
【図面の簡単な説明】
図１は本発明の好ましい実施例によるチェアの側面図である。
図２は本発明によるチェアの正面図である。
図３は本発明によるチェアの底面図である。
図４は本発明によるチェアの平面図である。
図５は本発明によるチェアの斜視図である。
発明の詳細な説明
図１において符号１０に示すものは本発明の好ましい実施例によるチェアである。チェア１０は受け部１．２と複数の脚部１４、１６、１８とを備えている。脚部１４、１６、１８は受け部１２から下方に延びている。脚部１４は外方に水平方向に延びる足部２０を備えている。脚部１６も外方に水平方向に延びる足部２２を備えている。脚部１８は外方に水平方向に延びる足部２４を備えている。本発明の好ましい実施例においては、受け部１２と脚部１４、１６、１８と足部２０、２２、２４はポリマー材料により一体的に形成されている。脚部は受け部１２の下方において相互に分離している。各脚部１４、１６、１８は長方形状の水平断面を有する。
受け部１２は上面が略放物線状の凹部２６となっている。凹部２６はポストテンションケーブルないしリバーを受けるのに適したものである。凹部２６における底部のリバーに別々のリバーを並列させる必要があるときには、凹部２６の上部に当該別のリバーを収容することができる。
第一の脚部１４は受け部１２の上端２８から下方に延びている。同様に、脚部１８は受け部１２における反対側の上端３０から下方に延びている。脚部１６は受け部１２の中央低部から下方に延びている。
図１において、脚部１４、１８は垂直から外方に若干の角度（約１０度）が付いている。脚部１４、１８にこのような角度が付いていることが受け部１２に適当な構造的支えを与えている。
受け部１２の凹部２６は「略放物線状」の凹部として特定されているが、凹部２６の両側が受け部１２の中央底部に向かって下方へのテーパ状になるように直線状をなすことも、本発明の範囲内において、可能である。このような事例においては、テーパ部は水平に対し約２０度で延びることになる。
足部２０はほぼ平らな底面３２と平らな水平の上面３３とを備えている。足部２４も平らな底面３４と平らな水平の上面３５とを備えている。平らな底面３２、３４は水平方向を向いている。足部２０の底面３２から突起３６が下方に延びている。足部２０の底面３４から突起３８が下方に延びている。同様に、足部２２の底面から突起４０が下方に延びている。足部２０の底面３２から第二の突起４２も下方に延びている。第一の突起３６は足部２０における内側縁４４の近傍に配設され、第二の突起４２は足部２０における外側縁４６の近傍に配設されている。同様に、第二の足部２４は該足部２４における外側縁５０の近傍に第二の突起４８を備えている。第一の突起３８は足部２４における内側縁５２の近傍に配設されている。平らな底面３２における突起３６と突起４２との間に別の中間の突起３７が形成されている。同様に、平らな底面３４における突起３８と突起４８との間に突起３９が形成されている。各突起３６、３７、３８、３９、４２、４８は逆ピラミッド形を有する。これらの突起は足部２０、２４と一体的に形成されている。突起は、チェアに荷重がかかったときに該チェアを支持する表面に食い込むに足る鋭さを有する先端を下端に備えている。
重要なことであるが、突起３６、３７、３８、３９、４２、４８は本発明によるチェア１０の構造的安定性と強度を高める。チェア１０の受け部１２に荷重がかかったときには、この荷重により突起はチェア１０が置かれているデッキに食い込み、係止し、又は埋め込まれる。従って、突起は脚部１４、１８が荷重の下で変形に耐える能力を高めることになる。その結果、内側の構造リングその他の構造部材なしでチェア１０を作ることが可能となる。水平方向に外方に延びる足部２０、２４は、突起３６、３７、３８、３９、４２、４８と相俟って、チェア１０が配設される平面上におけるチェア１０の安定性を高める。突起は、チェア１０に水平方向のゆがみを生じさせることなく垂直方向の荷重を支える助けとなる。
図２は本発明によるチェア１０の端面図である。別の一対の脚部１６、６０が受け部１２の水平部６４から下方に延びている。脚部１６、６０は脚部１４，１８を横切る単一の面上を外方に延びている。脚部１６、６０は外方に角度が付いている（垂直から約１２度）。脚部１６から足部２２が外方に水平方向に延びている。脚部６０から足部６２が外方に水平方向に延びている。通常の使用においては、脚部１６、６０の水平部６４は受け部１２内に延びるケーブルと一直線状になる。従って、この水平部６４は、リバーによりチェア１０に与えらえた力をより大きな面積に分配するものとなる。各脚部１６、６０は略長方形状の水平断面を有する。
足部２２、６２はそれぞれ平らな底面６６、６８を備えている。また、足部２２、６２はそれぞれ平らな水平の上面６７、６９を備えている。足部２２の平らな底面６６から突起４０、４１、７０が下方に延びている。足部６２の平らな底面６８から突起７２、７３、７４が下方に延びている。突起４０、４１、７０、７１、７２、７４は図１に示すものと同様の形状を備えている。これらの突起もゆがみを生じさせる力に耐えるように支持面に食い込み、図１について前述したように構造的な強さと完全性を与える。
図３はチェア１０の底面図である。特に、図３に示すように、脚部１４、１８は同一平面上にある。同様に、脚部１６、６０は脚部１４、１８の平面を横切る同一平面上にある。本発明においては、脚部と足部と突起はポリマー材料により一体的に形成されている。本発明の好ましい実施例においては、ガラスを充填したナイロン材料を用いることにより最大の構造的な完全性と強さが得られる。足部２０、２２、２４、６２は脚部から外方に水平方向に延びている。このような足部の使用は、安定性をもたらすと共にケーブルが受け部に与える力を足部が置かれているデッキのより大きな面積に分散させることになる。
重要なことであるが、本発明においては、足部２０、２２、２４、６２は比較的狭く且つ短い形状を備えている。また、各足部２０、２２、２４、６２は平らな水平の上面３３、３５、６７、６９を備えている。足部の幅は脚部の厚みにほぼ匹敵する。この寸法と上面により、足部が置かれるデッキに該足部を固定することが可能となる。足部をデッキに固定することにより、プラスチックチェア１０の変形が生じなくなる。更に、この固定により、チェアの転倒或いは所望の位置からの移動が防止される。プラスチックチェアの従来の形状は、チェアの足部の安定性を確保することができなかった。
図４は本発明によるチェア１０の平面図を示すものである。重要なことであるが、本発明においては、図４に示すように、受け部１２の水平部６４と足部２０の上面３３に数字の印が付されている。受け部１２の略放物線状部２６は受け部１２の水平部６４を横切る方向に延びている。略放物線状部２６に対する水平部６４の配列は十字形をなしている。
図４に示すように、受け部１２の水平部６４に数字の符号”２．７５”が形成されている。この数字の印”２．７５”はチェア１０における受け部の高さを示すものである。換言すれば、数字の印”２．７５”はチェア１０における足部の底面と水平部６４の上面との間の距離である。更に、文字”ＧＴＩ”という別の印が水平部６４の上面に形成されている。アルファベットと数字とよりなる符号”ＧＴＩ”はチェア１０の出所を表示するものである。受け部１２の水平部６４に数字の印”２．７５”を表示することにより、スラブに用いられているすべてのチェアが同じ高さを有することを工事現場の作業員に視覚的に示すことができる。その結果、このような数字の印を使用することにより、作業員が２．７５インチのチェアの中に３インチのチェアを偶然に入れてしまうということが防止される。更に、チェア１０の出所を表示することにより、作業員があるメーカーのチェアを別のメーカーのチェアの中に偶然に入れてしまうということが防止される。本発明はチェアの配列における不一致を防止する。工事現場に提供されたチェアのいずれかに困難又は問題がある場合には、受け部１２における水平部６４の印”ＧＴＩ”から当該チェアのメーカーを容易に特定することができる。
足部２０の上面３３にも数字の印”２．７５”が付されていることに留意することは重要である。足部２０における数字の印は水平部６４における数字の印”２．７５”とは別の方向にある。特に、足部２０における数字の印”２．７５”を構成する数字は水平部６４における数字の印に対し９０度の方向にある。その結果、工事現場の作業員はリバーの支持用に用いられる各チェアの高さを種々の角度から判断することができる。足部２０の上面３３に数字の印を用いることにより、リバーの設置後においてもチェアの寸法を検査することができる。水平部６４と足部２０の上面３３とに数字の印を用いることにより、工事現場におけるチェアの設置の品質管理が改良される。
図５はチェア１０の斜視図を示すものである。チェア１０は受け部１２における略放物線状部２６の端部から下方に延びる脚部１４、１８を備えている。受け部１２における水平部６４の両端から脚部１６、６０が下方に延びている。数字の印７０が水平部６４の上面に明瞭に現れている。また、アルファベットと数字とよりなる印７２も水平部の上面に明瞭に現れている。このような印を用いることにより、種々の寸法の建設用チェア１０が偶然にまじり合うことが防止される。足部２０の上面に数字の印７４を付すことにより、方向に関する情報が更に与えられる。チェア１０を繰り返し使用した後であれば、作業員は各チェア１０をリバーの長さに沿った正しい方向に合わせることが比較的容易であることに気づくであろう。
図５に示すように、各脚部１４、１６、１８、６０は略長方形状の断面を有する。このような長方形状の断面を使用することにより、本発明のチェア１０を射出成形法により製造する能力が高まる。チェア１０における各脚部の長方形状の断面は、脚部の構造的な完全性と強さを高める。脚部１４、１６、１８、６０の比較的広い表面は力が加えられる面の変形に強く耐えることが実験の結果判明している。脚部１４、１８は、水平部６４を横切る方向の面においては比較的幅が広く、水平部６４と平行な面においては比較的幅が狭い。また、脚部１６、６０は、水平部６４と平行な面においては比較的幅が広く、水平部６４を横切る方向の面においては幅が狭い。この形状により、変形に耐える強いチェアが確保される。受け部１２を通して延びるリバーの下面に密着する水平部６４を採用することにより、リバーの力が比較的広い面積に分散される。
また、本発明によるチェア１０は、受け部１２に対するリバーの設置における品質管理を向上させるものであるということも重要である。リバーを受け部に設置した後においても、足部２０の上面における印７４を検査することによりチェアの寸法を判断することができる。水平部６４上の数字の印７０がリバーにより覆われたときでも、チェアの寸法をこのように目視により正しく検査することができる。その結果、本発明によれば、リバーをチェア１０に設置する前においても設置した後においても、作業員はチェア１０の寸法を検査することができる。
図１〜図５に示す実施例の形状は、工事現場におけるチェアの設置と使用を著しく容易ならしめる。チェアには内部構造がないため、リバーを受け部１２に縛着することは比較的容易である。本発明によればワイヤを複雑な内部構造に通す必要はない。本発明は射出成形法により製造されるため、各プラスチックチェア１０は従来の金属製チェアに比べて比較的安価であり、腐食しない。プラスチックチェアを使用することにより、金属製チェアを使用する場合に生じ得る腐食や変色という問題は解消される。内部の支持構造がないため、大きなチェアの内側に小さなチェアを配設し、以ってリバーを相互に平行状態に並べ或いは交差状態に配設することができる。
前述した本発明の開示と説明は例示的且つ説明的なものである。添付した請求の範囲の範囲内において且つ本発明の要旨を逸脱することなく、例示した形状の細部に種々の変更を加えることが可能である。本発明は、下記の請求の範囲及びその法的な同等物によってのみ限定されるべきものである。
【図１】
0003713563.tif 000002
【図２】
0003713563.tif 000003
【図３】
0003713563.tif 000004
【図４】
0003713563.tif 000005
【図５】
0003713563.tif 000006